(57)【要約】【課題】  開示の外付耐震補強構造は、住人の負担感を抑えて耐震性能を向上させると共に、施工後の美観を損ねない。【解決手段】  開示の外付耐震補強構造は、既設木造建築物の外壁に、外壁と垂直な方向に設けられる外壁孔と、外壁孔に挿通され、挿通された状態で固定されるボルト部材と、ボルト部材に、既設木造建築物の外側から装着するナット部材と、ボルト部材及びナット部材によって外壁上に固定され、既設木造建築物の耐震性能を向上させるための耐震補強部材と、耐震補強部材を外部から覆い隠す植物を設置するためのものであって、既設木造建築物の外壁から所定距離の位置に設置される緑化用部材と、一端がボルト部材及びナット部材によって既設木造建築物の外壁上に固定され、緑化用部材を前記位置に設置させるために、他端が外壁と垂直な方向へ突き出た形状の緑化用部材取付具と、を備えることを特徴とする。【選択図】図３
2013194381.tif 000002
【特許請求の範囲】
【請求項１】
既設木造建築物の外壁に、該外壁と垂直な方向に設けられる外壁孔と、
前記外壁孔に挿通され、挿通された状態で固定されるボルト部材と、
前記ボルト部材に、前記既設木造建築物の外側から装着するナット部材と、
前記ボルト部材及び前記ナット部材によって前記既設木造建築物の外壁上に固定され、前記既設木造建築物の耐震性能を向上させるための耐震補強部材と、
前記耐震補強部材を外部から覆い隠す植物を設置するためのものであって、前記既設木造建築物の外壁から所定距離の位置に設置される緑化用部材と、
一端が前記ボルト部材及びナット部材によって前記既設木造建築物の外壁上に固定され、前記緑化用部材を前記位置に設置させるために、他端が前記外壁と垂直な方向へ突き出た形状の緑化用部材取付具と、を備えることを特徴とする既設木造建築物の外付耐震補強構造。
【請求項２】
前記外壁孔が、前記既設木造建築物の柱・梁・土台及び基礎で囲まれた範囲内の壁における角部の水平材と垂直材との交差部に設けられ、
前記耐震補強部材が、両端部が前記ボルト部材及びナット部材によって固定されると共に、筋交い状に配置され、
前記既設木造建築物の外壁上であって、４組の前記ボルト部材及びナット部材の組み合わせのうち、上下位置に並ぶ該ボルト部材及びナット部材の中間付近の位置に一端が固定され、前記緑化用部材を前記位置に設置させるために、他端が前記外壁と垂直な方向へ突き出た形状の緑化用部材取付補助具をさらに備え、
前記緑化用部材が、前記植物を絡ませるネット部材を設置するために、棒状部材を格子状に配置した部材であることを特徴とする請求項１に記載の既設木造建築物の外付耐震補強構造。
【請求項３】
前記外壁孔が、前記既設木造建築物の柱・梁・土台及び基礎で囲まれた範囲内の壁における角部の水平材と垂直材との交差部に設けられ、
前記耐震補強部材が、各頂点部位を前記ボルト部材及びナット部材で固定される四角形状の部材であり、
前記既設木造建築物の外壁上であって、４組の前記ボルト部材及びナット部材の組み合わせのうち、上下位置に並ぶ該ボルト部材及びナット部材の中間付近の位置に一端が固定され、前記緑化用部材を前記位置に設置させるために、他端が前記外壁と垂直な方向へ突き出た形状の緑化用部材取付補助具をさらに備え、
前記緑化用部材が、前記植物を絡ませるネット部材を設置するために、棒状部材を格子状に配置した部材であることを特徴とする請求項１に記載の既設木造建築物の外付耐震補強構造。
【請求項４】
前記緑化用部材取付具及び前記緑化用部材取付補助具が、前記他端に、前記棒状部材を地面に対し水平に静置させるための窪み又は孔を備え、
前記緑化用部材が、前記緑化用部材取付具又は前記緑化用部材取付補助具上で水平に静置された前記棒状部材に、地面に対し垂直に向けた前記棒状部材を、結束部材によって結束することによって、前記格子状とすることを特徴とする２又は３に記載の既設木造建築物の外付耐震補強構造。
【請求項５】
前記外壁孔が、前記既設木造建築物の外壁に開けられた孔であり、
前記ボルト部材が、先端に抜け止め機構を備えたボルト部材であり、
前記外壁孔に挿通された前記ボルト部材に、廻り止め機能を備えたフランジ付き補強ナットを装着させると共に、該補強ナットを前記外壁上に固定させることによって前記ボルト部材を前記既設木造建築物の外壁に固定し、
前記外壁に固定された前記ボルト部材及び前記ナット部材によって前記耐震補強部材及び前記緑化用部材取付具を前記外壁上に固定させることを特徴とする請求項１乃至４の何れか一に記載の既設木造建築物の外付耐震補強構造。
【請求項６】
既設木造建築物の外壁に、該外壁と垂直な方向に外壁孔を設ける外壁孔設置工程と、
前記外壁孔にボルト部材を挿通させ、該ボルト部材を挿通された状態で固定するボルト部材固定工程と、
前記ボルト部材に、前記既設木造建築物の外側からナット部材を装着するナット部材装着工程と、
前記ボルト部材及び前記ナット部材によって、前記既設木造建築物の耐震性能を向上させるための耐震補強部材を、前記既設木造建築物の外壁上に固定する耐震補強部材固定工程と、
前記耐震補強部材を外部から覆い隠す植物を設置するためのものであって、前記既設木造建築物の外壁から所定距離の位置に設置される緑化用部材を該位置に設置するために、一端が前記外壁と垂直な方向へ突き出た形状の緑化用部材取付具の他端を、前記ボルト部材及びナット部材によって前記既設木造建築物の外壁上に固定する緑化用部材取付具固定工程と、を含む既設木造建築物の外付耐震補強工法。
【発明の詳細な説明】
【技術分野】
【０００１】
既設木造建築物に外付で耐震補強部材を取り付ける場合に、露出する耐震補強部材の見た目の悪さを改善させると共に、建築物の環境性能も改善させる技術に関する。
【背景技術】
【０００２】
近年、各地で地震が頻発していると共に、数十年の期間で考えると、日本中の各地で、ある程度大きな規模の地震が起きることが予測されている。
そして、上記のような大きな地震が起きた場合、耐震強度が低い築年数の古い木造建築物では、家屋の倒壊が起きることによる被害が懸念されている。
【０００３】
そうした既設の木造建築物における耐震強度を高める方法としては、壁などを剥がした上で、躯体そのものに耐震補強部材を取り付ける方法がある。しかし、この方法では、建築物内に設置されている家具類を搬出すると共に、内装・壁を一旦剥がし、さらに耐震工事終了後、元の状態にするための工事が必要となる。そのため、当該木造建築物の使用者（以下、「住人」という。）は一時的な引っ越しで体力的負担を強いられたり、引っ越しや耐震・復旧工事で多額の金銭的負担を強いられたりするという問題点がある。
【０００４】
一方で、上記のような住人の体力的・金銭的負担を減らす取り組みが提案されている。例えば、特許文献１及び特許文献２では、既設建築物の外壁上に、当該外壁を剥がすことなく耐震補強部材を取り付けることによって、既設建築物の耐震強度を向上させる手法が提案されている。これらによると、引っ越しや内装復元などの工事を必要としないため、住人は、体力的・金銭的負担が軽減される。
【先行技術文献】
【特許文献】
【０００５】
【特許文献１】特開２００７−２１１４２８号公報
【特許文献２】特開２０１０−００７４５４号公報
【発明の概要】
【発明が解決しようとする課題】
【０００６】
しかしながら、上記技術においては、耐震補強部材が建築物外壁上で剥き出しになるため、建築物の美観を損ねるという問題点が有った。
また、上記技術においては、建築物の美観を損ねることに伴い、施工後の建築物の財産価値も低下させるという問題点が有った。
【０００７】
そこで、上記問題点に鑑み、本発明は、住人の負担感を抑えて耐震性能を向上させると共に、施工後の美観を損ねない既設木造建築物の外付耐震補強構造を提供することを目的とする。
【課題を解決するための手段】
【０００８】
開示する既設木造建築物の外付耐震補強構造は、既設木造建築物の外壁に、該外壁と垂直な方向に設けられる外壁孔と、前記外壁孔に挿通され、挿通された状態で固定されるボルト部材と、前記ボルト部材に、前記既設木造建築物の外側から装着するナット部材と、前記ボルト部材及び前記ナット部材によって前記既設木造建築物の外壁上に固定され、前記既設木造建築物の耐震性能を向上させるための耐震補強部材と、前記耐震補強部材を外部から覆い隠す植物を設置するためのものであって、前記既設木造建築物の外壁から所定距離の位置に設置される緑化用部材と、一端が前記ボルト部材及びナット部材によって前記既設木造建築物の外壁上に固定され、前記緑化用部材を前記位置に設置させるために、他端が前記外壁と垂直な方向へ突き出た形状の緑化用部材取付具と、を備えることを特徴とする。
【０００９】
また、開示する既設木造建築物の外付耐震補強構造の一形態は、上記構成に加え、前記外壁孔が、前記既設木造建築物の柱・梁・土台及び基礎で囲まれた範囲内の壁における角部の水平材と垂直材との交差部に設けられ、前記耐震補強部材が、両端部が前記ボルト部材及びナット部材によって固定されると共に、筋交い状に配置され、前記既設木造建築物の外壁上であって、４組の前記ボルト部材及びナット部材の組み合わせのうち、上下位置に並ぶ該ボルト部材及びナット部材の中間付近の位置に一端が固定され、前記緑化用部材を前記位置に設置させるために、他端が前記外壁と垂直な方向へ突き出た形状の緑化用部材取付補助具をさらに備え、前記緑化用部材が、前記植物を絡ませるネット部材を設置するために、棒状部材を格子状に配置した部材であることを特徴とする。
【００１０】
また、開示する既設木造建築物の外付耐震補強構造の一形態は、上記構成に加え、前記外壁孔が、前記既設木造建築物の柱・梁・土台及び基礎で囲まれた範囲内の壁における角部の水平材と垂直材との交差部に設けられ、前記耐震補強部材が、各頂点部位を前記ボルト部材及びナット部材で固定される四角形状の部材であり、前記既設木造建築物の外壁上であって、４組の前記ボルト部材及びナット部材の組み合わせのうち、上下位置に並ぶ該ボルト部材及びナット部材の中間付近の位置に一端が固定され、前記緑化用部材を前記位置に設置させるために、他端が前記外壁と垂直な方向へ突き出た形状の緑化用部材取付補助具をさらに備え、前記緑化用部材が、前記植物を絡ませるネット部材を設置するために、棒状部材を格子状に配置した部材であることを特徴とする。
【００１１】
また、開示する既設木造建築物の外付耐震補強構造の一形態は、上記構成に加え、前記緑化用部材取付具及び前記緑化用部材取付補助具が、前記他端に、前記棒状部材を地面に対し水平に静置させるための窪み又は孔を備え、前記緑化用部材が、前記緑化用部材取付具又は前記緑化用部材取付補助具上で水平に静置された前記棒状部材に、地面に対し垂直に向けた前記棒状部材を、結束部材によって結束することによって、前記格子状とすることを特徴とする。
【００１２】
また、開示する既設木造建築物の外付耐震補強構造の一形態は、上記構成に加え、前記外壁孔が、前記既設木造建築物の外壁に開けられた孔であり、前記ボルト部材が、先端に抜け止め機構を備えたボルト部材であり、前記外壁孔に挿通された前記ボルト部材に、廻り止め機能を備えたフランジ付き補強ナットを装着させると共に、該補強ナットを前記外壁上に固定させることによって前記ボルト部材を前記既設木造建築物の外壁に固定し、前記外壁に固定された前記ボルト部材及び前記ナット部材によって前記耐震補強部材及び前記緑化用部材取付具を前記外壁上に固定させることを特徴とする。
【発明の効果】
【００１３】
開示する既設木造建築物の外付耐震補強構造は、住人の負担感を抑えて耐震性能を向上させると共に、施工後の美観を損ねない。
【図面の簡単な説明】
【００１４】
【図１】耐震補強部材が露出した既設木造建築物を示す図である。
【図２】耐震補強部材が露出した既設木造建築物を示す拡大図である。
【図３】本実施の形態に係る既設木造建築物の外付耐震補強構造を示す図である。
【図４】本実施の形態に係る耐震補強部材及び緑化用部材取付具の設置方法を示す図である。
【図５】本実施の形態に係るボルト部材の一例を示す図である。
【図６】本実施の形態に係る耐震補強部材及び緑化用部材取付具の設置例を示す図である。
【図７】本実施の形態に係る耐震補強部材及び緑化用部材取付具の設置例を示す図である。
【図８】本実施の形態に係る緑化用部材取付具の一例を示す図である。
【図９】本実施の形態に係る緑化用部材の取付方法を示す図である。
【図１０】本実施の形態に係る緑化用部材の取付方法を示す拡大図である。
【図１１】本実施の形態に係る緑化用部材へのネット部材の取付方法を示す図である。
【発明を実施するための形態】
【００１５】
図面を参照しながら、本発明に係る既設木造建築物の外付耐震補強構造（以下、単に「耐震補強構造」という。）１について説明する。耐震補強構造１は、新築建築物には適用せず、既に建築工事が済んでいる（特に、建築後長い年数が経っている）、耐震強度の低い木造建築物（以下、単に「建築物」という。）２に適用される。また、建築物２とは、主には既設の木造住宅を指すが、例えば、保育園や幼稚園の園舎など住宅以外の既設の木造建築物も含む概念である。
【００１６】
図１又は図２で示すように、耐震補強構造１は、耐震補強部材２２を建築物２の外壁４上に、筋交い状に固定する。ここで、耐震補強部材２２の一形態は、金属製ブレースなどの棒状部材であり、耐震補強部材２２の一端は、建築物２の柱６・梁８の交差部１４に固定され、耐震補強部材２２の他端は、建築物２の柱６・土台１０又は柱６・基礎１２の交差部１４に固定される。
【００１７】
また、耐震補強部材２２の一形態は、金属製枠などの四角形状の部材であり、耐震補強部材２２の各頂点は、建築物２の柱６・梁８との交差部１４、及び建築物２の柱６・土台１０又は柱６・基礎１２との交差部１４に固定される。
【００１８】
上記のように、建築物２に耐震補強部材２２を固定することによって、建築物２の耐震強度は向上するが、耐震補強部材２２が外部に露出し、建築物２の外観上の美観が大きく損なわれる。
【００１９】
そこで図３で示すように、耐震補強構造１は、耐震補強部材２２を植物（例えば、糸うりやゴーヤ等のつる状植物）４４で覆い隠すことによって、建築物２の外観上の美観を損なわないようにする。その際、耐震補強構造１は、新たな取り付け機構を使用せず、耐震補強部材２２を建築物２の外壁４上に固定する機構を利用し、植物４４を建築物２の外壁４上に設置する。従って、耐震補強構造１は、耐震補強工事が施されていない建築物２について適用できることは当然のこと、図１で示すような既に耐震補強部材２２が剥き出しの状態に施工されている建築物２にも適用することが可能である。
【００２０】
また、耐震補強構造１は、外壁４上の植物４４が、外壁４に当たる日光を遮るため日除けとなり、特に夏場などには建築物２の温度調整弁となるため、建物内のエアコンを駆動させる電気エネルギーの節約にも寄与する。
【００２１】
図４で示すように、耐震補強構造１は、外壁孔１６、ボルト部材１８、フランジ付き廻り止め機能付き補強ナット４６、座金４８、耐震補強部材２２、緑化用部材取付具３２、ナット部材２０を備えている。そして、耐震補強構造１は、建築物２の外壁４に、外壁４と垂直な方向の孔である外壁孔１６を設け、外壁孔１６にボルト部材１８を挿通し、当該ボルト部材１８に種々の部材を係止させ、ナット部材２０でこれらを固定する構造である。
【００２２】
図４で示すように、外壁孔１６は、建築物２の外壁４に、孔を開けて設ける形態であっても良い。また、外壁孔１６は、外壁４上に孔を開けるのではなく、フランジ付き廻り止め機能付き補強ナット４６のような形状の部材を外壁４に設置することによって、外壁４上に外壁４と垂直方向の孔を設置する形態であっても良い。
【００２３】
外壁孔６が外壁４に開けた孔である場合、ボルト部材１８は、先端に抜け止め機構を備えたボルト部材であることが好適である。例えば、図５（ａ）で示すように、ボルト部材１８は、フリップボルトであっても良く、図５（ｂ）で示すように、フリップアンカーボルトであっても良い。なお、外壁孔１６が所定部材を外壁４上へ設置することによって設けた孔である場合、ボルト部材１８は、先端に抜け止め機構を備えている必要は無い。
【００２４】
フランジ付き廻り止め機能付き補強ナット４６は、外壁４にネジ止めすることによってボルト部材１８を外壁４へ固定する。また、フランジ付き廻り止め機能付き補強ナット４６は、ボルト部材１８の曲がり防止の効果も発揮する。なお、フランジ付き廻り止め機能付き補強ナット４６は、耐震補強構造１の必須の構成要素ではない。
【００２５】
フランジ付き廻り止め機能付き補強ナット４６は、図６で示すように、凸部を外壁４外側に向けて設置しても良く、図７で示すように、外壁４に設けた座繰り部に凸部を外壁４内側に向けて設置しても良い。フランジ付き廻り止め機能付き補強ナット４６を図７で示すように設置する場合、フランジ付き廻り止め機能付き補強ナット４６の外側にナットを挿入することが好適である。
【００２６】
座金４８は、フランジ付き廻り止め機能付き補強ナット４６の外側に設置する部材であり、外壁４に開けた外壁孔１６を塞ぐための部材である。座金４８は、外壁孔１６を外部から隠し、外壁孔１６からの水の浸入を防止する機能を有する。なお、座金４８は、耐震補強構造１の必須の構成要素ではない。
【００２７】
緑化用部材取付具３２は、耐震補強部材２２を覆い隠す植物４４を設置するための部材である緑化用部材２４を、外壁４上に取り付けるための部材である。図４で示すように、緑化用部材取付具３２は、根元部が外壁４上に固定され、先端部が外壁４から垂直な方向に突き出た形状である。緑化用部材取付具３２の先端部は、緑化用部材２４を構成する棒状部材２８を載置させるための凹部（窪み）３４又は棒状部材２８を定置させるための孔３６を備えている。
【００２８】
図８（ａ）で示すように、緑化用部材取付具３２の根元部の外壁４上に固定される部位は、ボルト部材１８を挿通させるための孔を備えた形状であっても良い。また、図８（ｂ）で示すように、当該部位は、ボルト部材１８に横方向から嵌めるための切り込みを備えた形状であっても良く、この形状である場合、耐震補強部材２２が既設であっても、ナット部材２０を外すことなく緩めるだけで、緑化用部材取付具３２を設置することができる。さらに図８（ｂ）で示すように、緑化用部材取付具３２の根元部の切り込みに段差を設けることによって、ネジ部外径の異なる種々のボルト部材１８に適用させることができる。
【００２９】
図４、図６及び図７では、耐震補強構造１は、フランジ付き廻り止め機能付き補強ナット４６、座金４８、耐震補強部材２２、緑化用部材取付具３２、ナット部材２６の順序で設置しているが、耐震補強部材２２、緑化用部材取付具３２の順序は入れ替わっても良い。
【００３０】
図９乃至図１１を用いて、緑化用部材２４について説明する。図９で示すように、耐震補強部材２２は、金属製ブレースなどの棒状部材であり、建築物２の外壁４上に筋交い状に固定される。この場合、耐震補強部材２２は、一端が建築物２の柱６・梁８の交差部１４に固定され、他端が建築物２の柱６・土台１０又は柱６・基礎１２の交差部１４に固定される。
そして図４乃至図８を用いて説明したように、耐震補強部材２２の外壁４上の固定部位には、緑化用部材取付具３２が設置される。
【００３１】
また、図９で示すように、耐震補強部材２２及び緑化用部材取付具３２の外壁４上への固定部位のうち、位置関係が上下位置にある組の略中間に当たる位置に、緑化用部材取付補助具３８を固定する。
【００３２】
緑化用部材取付補助具３８は、耐震補強部材２２を覆い隠す植物４４を設置するための部材である緑化用部材２４を、外壁４上に取り付けるための部材である。図９で示すように、緑化用部材取付補助具３８は、根元部が外壁４上に固定され、先端部が外壁４から垂直な方向に突き出た形状である。緑化用部材取付補助具３８の根元部は、例えば、外壁４の下に有る胴縁を狙って木ネジを用いて固定する。そして、緑化用部材取付補助具３８の先端部は、緑化用部材２４を構成する棒状部材２８を載置させるための凹部（窪み）４０又は棒状部材２８を定置させるための孔４２を備えている。
【００３３】
ここで図１０は、緑化用部材取付具３２又は緑化用部材取付補助具３８の拡大図である。図９及び図１０で示すように、緑化用部材２４は、緑化用部材取付具３２又は緑化用部材取付補助具３８の窪み３４、４０に棒状部材２８を載置し、ゴム製のキャップなどで棒状部材２８を窪み３４、４０に固定して形成される。また、緑化用部材２４は、緑化用部材取付具３２又は緑化用部材取付補助具３８の孔３６、４２には、棒状部材２８を挿通し、ゴム製のカバーなどで棒状部材２８を孔３６、４２に固定する形態でも良い。
【００３４】
そして図１０で示すように、緑化用部材２４は、水平方向の棒状部材２８と垂直方向の棒状部材２８とを結束させる結束部材３０を用いて、緑化用部材取付具３２又は緑化用部材取付補助具３８の先端部に固定された棒状部材２８と垂直に交わるように棒状部材２８を結束して形成される。
【００３５】
図１１上図のように、緑化用部材２４は、棒状部材２８を格子状に配置した態様となる。さらに図１１下図で示すように、緑化用部材２４は、格子状に配置された棒状部材２８にネット部材２６を紐などで結び付ける。このようにすることで、緑化用部材２４に、つる状の植物４４が絡み易くなる。
【００３６】
また、図３で示すように、緑化用部材２４は、下部に、装飾用の草花を植えたり活けたりするための鉢や箱であるプランターを設置し、当該プランター内で植物４４を育成させる形態とすることが好適である。
【００３７】
なお、耐震補強部材２２が金属製枠など四角形状の部材である場合について検討する。上記説明と同様に、耐震補強構造１は、耐震補強部材２２を外壁４に固定しているボルト部材１８及びナット部材２０を用いて、緑化用部材取付具３２を外壁４上に固定する。また、これら取り付けられた緑化用部材取付具３２の位置関係が上下位置にある組の略中間に当たる位置に、緑化用部材取付補助具３８を固定する。
【００３８】
そして、図１０及び図１１を用いて先に説明したように、耐震補強構造１は、外壁４上に固定された緑化用部材取付具３２及び緑化用部材取付補助具３８の先端部に、緑化用部材２４を設置することで、建築物２の外壁４上に、耐震補強部材２２を覆う植物４４を設置する。
（総括）
【００３９】
耐震補強構造１は、建築物２の外壁４に耐震補強部材２２を設置するため、住人に工事中の引っ越しを強いることも無く、また、引っ越しや内装工事などの大規模な作業が必要ないため、住人に過度な負担を与えずに、建築物２の耐震性能を向上させることができる。
【００４０】
耐震補強構造１は、建築物２の外壁４に外付される耐震補強部材２２上に、耐震補強部材２２の取付器具を利用して植物４４を設置するため、大規模な作業を必要とせず、かつ、建築物２の美観を損ねないようにして、建築物２の耐震性能を向上させることができる。
耐震補強構造１は、建築物２の外壁４を植物４４で覆い、建築物２への日光照射量を減少させるため、特に夏場など、エアコンの消費電力を減少させることができる。
【００４１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４２】
１    既設木造建築物の外付耐震補強構造
２    既設木造建築物
４    既設木造建築物の外壁
６    既設木造建築物の柱（垂直材）
８    既設木造建築物の梁（水平材）
１０  既設木造建築物の土台（水平材）
１２  既設木造建築物の基礎（水平材）
１４  垂直材と水平材との交差部
１６  外壁孔
１８  ボルト部材
２０  ナット部材
２２  耐震補強部材
２４  緑化用部材
２６  ネット部材
２８  棒状部材
３０  結束部材
３２  緑化用部材取付具
３４  緑化用部材取付具の窪み
３６  緑化用部材取付具の孔
３８  緑化部材取付補助具
４０  緑化用部材取付補助具の窪み
４２  緑化用部材取付補助具の孔
４４  植物
４６  フランジ付き廻り止め機能付き補強ナット
４８  座金
【図１】
2013194381.tif 000003
【図２】
2013194381.tif 000004
【図３】
2013194381.tif 000005
【図４】
2013194381.tif 000006
【図５】
2013194381.tif 000007
【図６】
2013194381.tif 000008
【図７】
2013194381.tif 000009
【図８】
2013194381.tif 000010
【図９】
2013194381.tif 000011
【図１０】
2013194381.tif 000012
【図１１】
2013194381.tif 000013